(57)【要約】【課題】本発明は、自動車用の窓ガラスを昇降させるウインドレギュレータ装置において、ガイドレールの撓みを抑え、ガイドレールとローラの当たりによる異音等を軽減できるウインドレギュレータ用ローラを提供することを目的とする。【解決手段】ウインドレギュレータ用で断面が略Ｃ字状のガイドレール内を摺動する略円筒状のローラの外周面をシャフトの軸方向に肉厚の荷重支持部分と薄肉の舌縁部を連続して形成し、荷重支持部分がガイドレールの幅の中央よりも開口側と対向する面に近い位置でガイドレールと接することでガイドレールを押し広げる曲げモーメントを小さくする。【選択図】　　　図４
2004060355.tif 000002
【特許請求の範囲】
【請求項１】
シャフトを介してウインドレギュレータのアーム端部に取り付けられると共に、断面が略Ｃ字状のガイドレール内を転動する略円筒状のローラであって、ローラの外周面はシャフトの軸方向に肉厚の荷重支持部分と、薄肉で荷重支持部分よりわずかに大径の舌縁部が連続して形成されており、舌縁部にはローラの軸方向に沿って複数の切り込みが設けられているウインドレギュレータ用のローラにおいて、ローラの荷重支持部分がガイドレールの幅の中央よりも開口側と対向する面に近い位置でガイドレールと接することを特徴とするウインドレギュレータ用ローラ。
【発明の詳細な説明】
【０００１】
【発明の属する技術分野】
本発明は、自動車用ウインドレギュレータにおけるローラに関するものである。
【０００２】
【従来の技術】
従来の自動車用ウインドレギュレータのローラは、図１に示されるように自動車の窓ガラスを昇降するための機構であるウインドレギュレータにおいて、Ｘ形に組み合わされたレギュレータアームの先端に固定されるシャフトに回動可能に取り付けられている。このような構成のウインドレギュレータ用ローラはガイドレール内において適当なクリアランスがないとウインドレギュレータ装置を作動した際に、ローラがガイドレール内を円滑に転動することが難しい。しかし、このローラとガイドレール間のクリアランスはウインドレギュレータ装置が作動していない時には自動車の走行時の振動により異音が発生する原因となっていた。このような問題を解決したものとして実公平６−１２１５０号公報に記載のものがある。
【０００３】
この実公平６−１２１５０号公報記載のウインドレギュレータ用ローラは、略円筒状のローラで、ローラの外周面の軸方向に対する略半分が肉厚の荷重支持面として形成されており、荷重支持面に連続する他方の略半分が薄肉で荷重支持面よりわずかに大径の舌縁部として形成され、かつ、舌縁部にはローラの軸方向に沿って複数の切り込みが設けられている。荷重支持面においては、ローラの外周面の軸方向に対して略半分の位置がローラ径が最大で、ガイドレールの略中央で接している。
【０００４】
【発明が解決しようとする課題】
上記従来のウインドレギュレータ装置は、駆動装置もしくは手動の回転ハンドル等により窓ガラスを昇降させるものであるが、窓ガラスが完全に閉まった状態からさらに上方に駆動力が働いたり、窓ガラスが完全に開いた状態からさらに下方に駆動力が働くと、ガイドレールに設置されたローラに上方または下方への過大な力が働き、断面が略Ｃ字状のガイドレールの開口端を押し広げようとする。図５に示されるようなガイドレールが弾性変形した上記の状態では、ガイドレールとローラの間に微小な隙間αが生じる。駆動力が無くなりアームにかかっていた力が抜けた際には、ガイドレールは元の略Ｃ字状に戻るため、この微小な隙間α分ローラが移動することでローラとガイドレールの衝突音が発生することがあった。
【０００５】
そこで本発明は、自動車用の窓ガラスを昇降させるウインドレギュレータ装置において、ガイドレールの撓みを抑え、ガイドレールとローラの当たりによる異音等を軽減できるウインドレギュレータ用ローラを提供することを目的とするものである。
【０００６】
【課題を解決するための手段】
上記の目的を達成するため、本発明の請求項１記載の発明は、シャフトを介してウインドレギュレータのアーム端部に取り付けられると共に、断面が略Ｃ字状のガイドレール内を転動する略円筒状のローラであって、ローラの外周面はシャフトの軸方向に肉厚の荷重支持部分と、薄肉で荷重支持部分よりわずかに大径の舌縁部が連続して形成されており、舌縁部にはローラの軸方向に沿って複数の切り込みが設けられているウインドレギュレータ用のローラにおいて、ローラの荷重支持部分がガイドレールの幅の中央よりも開口側と対向する面に近い位置でガイドレールと接することを特徴とする。
【０００７】
このようにすると、ローラがガイドレールを押す点がガイドレールの屈曲部に近くなり、曲げモーメントが小さくなるため同じ荷重が入力された場合でもガイドレールの撓みが減少する。ガイドレールの撓みが小さくなる分、微小な隙間αは小さくなり、よってガイドレールとローラの衝突音が軽減され、異音を防止することができる。
【０００８】
【発明の実施の形態】
本発明の実施の形態について図面を参照して説明する。図１は実施例に係るローラを備えた自動車用ウインドレギュレータ装置の全体概略図である。ウインドレギュレータ装置１は自動車ドア（図示せず）に設置され窓ガラス２を上下に昇降させる装置である。ウインドレギュレータ装置１は駆動装置３と、板材を４つの角を滑らかに屈曲させ断面が略Ｃ字状のレール状にした固定レール４と、前記固定レール４と同様の形状をしたレール部材で前記窓ガラス２と接続する可動レール８と、一端側にギヤを備え前記駆動装置３と接続し他端側にはかしめ等の固定手段によって固定されているシャフト９に回動可能にローラ１０が支持されているメインアーム５と、前記メインアーム５と回転軸６で回動可能に接続し両端に前記メインアーム５と同様にローラ１０が設けられているサブアーム７を有している。
【０００９】
前記駆動装置３と前記固定レール４は自動車ドアに固定されており、前記メインアーム５およびサブアーム７の先端に設けられているローラ１０は前記固定レール４もしくは可動レール８内に摺動可能に収められている。固定レール４と可動レール８はＸ形に組み合わされており前記メインアーム５のギヤが駆動装置３により回転し前記ローラ１０がレール内を摺動すると可動レール８に固定された窓ガラス２が自動車ドアに対して上下方向に動作するようになっている。
【００１０】
図２はサブアーム７と固定レール４の接続部分の断面図で、図３はシャフト９とローラ１０の斜視図である。本発明のローラ１０は合成樹脂、例えばポリアセタール等の素材により成形されている。ローラ１０は略円筒状に形成され、略Ｃ字状の固定レール４の開口からサブアーム７の方向に突出した部分を有し、固定レール４内に収まる部分は肉厚の荷重支持部分１０ａと、荷重支持部分１０ａからシャフトの軸方向に外周面を延出した薄肉で荷重支持部分よりわずかに大径の舌縁部１０ｂが連続して形成されており、該舌縁部１０ｂにはローラ１０の軸方向に沿って複数の切り込み１０ｃが設けられている。ローラ１０は円筒内部に球状の内壁を有し、シャフト９と嵌合するようになっている。シャフト９は前記ローラ１０と嵌合する球面部９ａと、球面部９ａからサブアーム７方向に延びた円筒軸部９ｂと、サブアーム７とかしめ固定されるかしめ部分９ｃを有している。
【００１１】
図４は図２におけるＡ部分の拡大図である。可動レール８とローラ１０は可動レール８の軸方向で中央よりも底部８ａに近い点Ｐで接している。このようにローラ１０の荷重支持部分１０ａにおいて可動レール８と接する点Ｐを可動レール８の底部８ａに近い位置にすると、ウインドレギュレータ装置を作動した際のローラ１０からの荷重は前記点Ｐから可動レール８に伝達されるので、底部８ａに近い屈曲部８ｂからの距離が短い程、可動レール８の開口端を押し広げる曲げモーメントが小さくなる。上記実施例では可動レール８とサブアーム７に支持されたローラ１０について説明したが、可動レール８とメインアーム５および固定レール４とサブアーム７の接続部に備えられているローラ１０も上記説明と同様の構成となっている。
【発明の効果】
本発明においては、ローラの荷重支持部分がガイドレールの幅の中央よりも開口側と対向する面に近い位置でガイドレールと接することにより、ローラがガイドレールを押す点がガイドレールの屈曲部に近くなり、曲げモーメントが小さくなるので、ガイドレールの撓みが小さくなる分微小な隙間αは小さくなり、駆動力が無くなりアームにかかっていた力が抜けた際のガイドレールとローラの衝突音が軽減され、異音を防止することができる。また、従来よりもガイドレールの撓みを抑えられるため、ガイドレールの板厚を薄く形成することができ、ウインドレギュレータ装置の軽量化が可能となる。
【図面の簡単な説明】
【図１】ウインドレギュレータ装置の全体概略図である。
【図２】アームとガイドレールの接続部の断面図である。
【図３】シャフトとローラの斜視図である。
【図４】図２におけるＡ部分の拡大断面図である。
【図５】従来のアームとガイドレールの接続部の断面図である。
【符号の説明】
１　ウインドレギュレータ装置
２　窓ガラス
３　駆動装置
４　固定レール
４ａ　屈曲部
４ｂ　内側曲面
４ｃ　開口端
５　メインアーム
６　回転軸
７　サブアーム
８　可動レール
８ａ　底部
８ｂ　屈曲部
９　シャフト
９ａ　球面部
９ｂ　円筒軸部
９ｃ　かしめ部分
１０　ローラ
１０ａ　荷重支持部
１０ｂ　舌縁部
１０ｃ　切り込み
【図１】
2004060355.tif 000003
【図２】
2004060355.tif 000004
【図３】
2004060355.tif 000005
【図４】
2004060355.tif 000006
【図５】
2004060355.tif 000007